【手続補正書】
【提出日】平成16年4月7日(2004.4.7)
【手続補正１】
【補正対象書類名】明細書
【補正対象項目名】０００２
【補正方法】変更
【補正の内容】
【０００２】
【従来の技術】
従来、遊技機、詳しくはパチンコ遊技機は市場に販売するにあたって所定の法律等（例えば、風俗営業等の規則及び業務の適正化等に関する法律等）に即したパチンコ遊技機の性能を満たしているか否かの検査を、第３者機関によって行ってもらい、所定の基準（例えば、「遊技機の認定及び型式の検定等に関する規則」に定められた基準）を満たしている場合に限り、販売許可を取得でき、その結果、市場での販売が可能になっている。
そして、遊技店において営業が行われるが、他店との差別化を行うために、例えば不当に釘を曲げ大当り時の獲得遊技球数を多くしたり、あるいは遊技機の遊技制御を管理する遊技制御基板に備えられている遊技プログラムが格納されたＲＯＭを、改造したＲＯＭ（大当りが出現しやすいように改造したもの）に取り替えたりする等の不正を行う（集客力を上げるため）店も極めて稀にある。


【手続補正２】
【補正対象書類名】明細書
【補正対象項目名】０００７
【補正方法】変更
【補正の内容】
【０００７】
第３者による通報によって遊技機の不正を監視するのは、実際には困難であり、効率が悪く、あまり期待できない。遊技店では、第３者による通報によって遊技機の不正を把握できる場合も稀にはあるが、第３者による通報によって第３者機関が遊技機の不正を把握できるのは皆無に近い。また、遊技店自体が不正を行っている場合には、第３者による不正の発見は極めて困難である。


【手続補正３】
【補正対象書類名】明細書
【補正対象項目名】００９９
【補正方法】変更
【補正の内容】
【００９９】
ここで、先に出てきた割数について説明する。
割数とは、貸球数に対する精算球数の比であり、割数の算出は次のようにして行う。すなわち、アウト玉信号ＳＧ６（アウト数に対応）、セーフ玉信号ＳＧ５（補給数に対応）、売上げ信号ＳＧ４（貸し球数に対応：１００円で２５個換算）を利用して、
「現金サンドの場合」（現金の投入によって球の貸し出しを行う現金式球貸装置の場合）
割数＝｛（補給数）−（アウト数）｝／貸し球数…………（４）
として算出する。
「ＣＲサンドの場合」（プリペイドカードによって球の貸し出しを行うカード式球貸装置１３２の場合：遊技機１０の球排出装置を利用して球貸しを行う）
1998309366.tif 000001
として算出する。


【手続補正４】
【補正対象書類名】明細書
【補正対象項目名】０１４９
【補正方法】変更
【補正の内容】
【０１４９】
図１６（ａ）における現在値の各内容は、以下のようなものである。
・論理ＩＤ
監視装置番号で、ここでは監視装置１を論理的に識別する番号である。
・ノード番号
通信ネットワーク上での端末（監視装置１）のノード番号（端末番号）である。
・時刻（時分）
遊技情報を収集したときの発生時刻である。
・累計セーフ
Ｐ機への補給玉（賞球玉）の累計値である。
・累計アウト
Ｐ機のアウト玉の累計値である。
・累計大当り１
特賞回数の累計値である。


【手続補正５】
【補正対象書類名】明細書
【補正対象項目名】０１６９
【補正方法】変更
【補正の内容】
【０１６９】
次いで、ステップＳ９５で上位認証処理を行う。これは、監視装置３が上位遊技機性能監視装置の１つではあるが、監視装置３に対してネットワーク上で上位に位置する監視装置４（上位遊技機性能監視装置）との間で相互認証を行うもので、相互認証を行うことにより、監視装置３の不正を防止し、遊技機性能の監視精度を高めるためである。
次いで、ステップＳ９６でポーリング要求処理３を行う。これにより、監視装置３から監視装置２に対してポーリング要求が出力され、監視装置２が担当するパチンコ島１１１に配置されている複数の監視装置１の収集した遊技情報を監視装置２から受信することになる。


【手続補正６】
【補正対象書類名】明細書
【補正対象項目名】０２１０
【補正方法】変更
【補正の内容】
【０２１０】
監視装置０（あるいは監視装置１）では、ステップＳ２５５で各端末からＩＤを受信（ここでは、監視装置２から送信されてきたＩＤを受信）する処理を行う。なお、監視装置２からＩＤが送信されてこない場合も有り得るので、以下のステップＳ２５６でＩＤ要求に対する応答が無しかも判断する。
ステップＳ２５６では受信したＩＤに異常があるか、あるいはＩＤ要求に対する応答が無しか否かを判別する。ＩＤ要求に対する応答があり、かつ受信したＩＤに異常がなければ（正規のＩＤであれば）、監視装置０（あるいは監視装置１）は監視装置２を認証しリターンする。これにより、監視装置０（あるいは監視装置１）から監視装置２が認証されたことになる。


【手続補正７】
【補正対象書類名】明細書
【補正対象項目名】０２１４
【補正方法】変更
【補正の内容】
【０２１４】
監視装置２では、ステップＳ２６５で各端末からＩＤを受信（ここでは、監視装置０あるいは監視装置１から送信されてきたＩＤを受信）する処理を行う。なお、監視装置０（あるいは監視装置１）からＩＤが送信されてこない場合も有り得るので、以下のステップＳ２６６でＩＤ要求に対する応答が無しかも判断する。
ステップＳ２６６では受信したＩＤに異常があるか、あるいはＩＤ要求に対する応答が無しか否かを判別する。ＩＤ要求に対する応答があり、かつ受信したＩＤに異常がなければ（正規のＩＤであれば）、監視装置２は監視装置０（あるいは監視装置１）を認証しリターンする。これにより、監視装置２から監視装置０（あるいは監視装置１）が認証されたことになる。


【手続補正８】
【補正対象書類名】明細書
【補正対象項目名】０２５６
【補正方法】変更
【補正の内容】
【０２５６】
階層的な監視形態では、監視装置１は接続されている遊技機１０を１台毎に監視し、監視装置２は監視装置１をポーリングしてパチンコ島１１１に配置されている遊技機１０の遊技情報を収集して監視し、監視装置３は監視装置２をポーリングして遊技店１００に設置されている全台の遊技機１０の機種別の遊技情報を収集して監視し、監視装置４は監視装置２をポーリングして遊技店１００に設置されている全台の遊技機１０の遊技情報を収集して監視するとともに、各遊技情報をデータベース処理（図４０のファイル参照）し、第３者機関からアクセスがある場合には当該データベースファイルを転送する。また、監視装置０は遊技機１０の金枠開閉等の不正動作を監視し、監視装置５は遊技機１０の遊技状態の変更情報の管理を行う。
そして、監視装置１によって下位遊技機性能監視装置が構成され、監視装置２、３、４によって上位遊技機性能監視装置が構成され、下位および上位の各遊技機性能監視装置が階層的に配置されて遊技機性能監視装置が構成される。


【手続補正９】
【補正対象書類名】明細書
【補正対象項目名】０２７８
【補正方法】変更
【補正の内容】
【０２７８】
（１１）請求項１１記載の発明によれば、下位遊技機性能監視装置は、前記下位遊技機性能監視手段により特定の遊技機性能が所定の基準を満たしていないと判断された場合に、当該遊技機を不能動化する不能動化手段を備えていることにより、不正な遊技機の動作を即刻停止させることができる。
従来は、第３者機関により検査に合格した遊技機性能で、遊技店においてもその遊技機性能のままで健全な状態に維持していくのは問題があったが、例えば、従来は遊技機性能が異常でも遊技球を発射することが可能であるので、遊技がそのまま継続されてしまい、本来（検定時）の遊技機性能での遊技が行われないことがあったが、これに対して本発明では、遊技店の全ての遊技機を稼働中に、遊技機性能を監視して不正を見つけ、かつ当該遊技機の動作を不能動化することができるので、遊技店の不正によって遊技機性能が変更された場合でも、確実にその不正を第３者機関で把握し、検査に合格した遊技機性能を維持して健全な状態での遊技を行わせることができる。また、検定時の遊技機性能から外れた場合には、遊技機が不能動化されるので、遊技を続行することができず、健全な遊技機性能を有する遊技機のみを稼働させることができる（すなわち、健全な遊技の維持ができる）。


【手続補正１０】
【補正対象書類名】図面
【補正対象項目名】図１７
【補正方法】変更
【補正の内容】
【図１７】
1998309366.tif 000002